(57)【特許請求の範囲】
【請求項１】
患者に気道を維持するための器具であって、
上記器具は、
マスク部分と、
マスク部分が喉頭咽頭に適切に挿入されるとき喉頭に気体が通過するようにマスク部分に接続されるか又はマスク部分に形成された気道チューブとを有し、
マスク部分は、当該マスク部分の前面側に位置する軟質で可撓性の部分を有し、前記軟質で可撓性の部分は、当該軟質で可撓性の部分と比較して、厚さが大きい壁または可撓性の小さい壁の前面に伸びる部分を有し、前記軟質で可撓性の部分は、マスク部分が患者の体内に挿入されるとき、前面の壁部分が喉頭の入口を囲む組織と平行であるように位置する前面の壁部分を含み、前記軟質で可撓性の部分は、通気がマスク部分を出ていく開口部を定めるか又は含む部分を有し、
気道チューブに注入された加圧気体が軟質で可撓性の部分を喉頭の開口部または前部の咽頭の壁を囲む組織と接触させるように、軟質で可撓性の部分が配置されており、これにより、マスク部分が喉頭咽頭に位置するとき、異質の流体が喉頭に進入するのを防止するように喉頭をシールする、器具。
【請求項２】
軟質で可撓性の部分は、マスク部分の壁部分から前面に伸び、前記軟質で可撓性の部分の壁の厚みは、前記壁部分の厚みよりも薄い請求項１記載の器具。
【請求項３】
通気がマスク部分を出ていく開口部を定めるか又は含む部分は、前記前面の壁部分の内部から背面側に伸びる請求項１または２記載の器具。
【請求項４】
軟質で可撓性の部分は、ドーム状の膜、折り畳まれた膜または喉頭の開口部を囲む組織に平行に伸びている部分を含む膜を有する請求項１ないし３のいずれか１項に記載の器具。
【請求項５】
軟質で可撓性の部分は内方に伸びた部分及びより内方にかつ背面側に伸びた部分を有しており、より内方にかつ背面側に伸びた部分は通気を可能とする開口部を含むか又は定める末端を有する請求項１ないし４のいずれか１項に記載の器具。
【請求項６】
軟質で可撓性の部分には１つ以上の補強部材が設けられ、その補強部材は、加圧気体がマスクに供給されないとき、軟質で可撓性の部分の形状を維持するのに役立つ請求項１ないし５のいずれか１項に記載の器具。
【請求項７】
マスク部分の末端または末端近傍に１つ以上の開口部を有し、マスク部分が患者の体内に挿入されるとき、１つ以上の開口部は食道と咽頭との間に流体を通じるようにする長手方向に伸びている１対の通路または空洞を伴い、
１つ以上の横方向に伸びている開口部は一対の通路の間の流体の流通を促進するように構成されている請求項１ないし６のいずれか１項に記載の器具。
【請求項８】
マスク部分にはその末端近傍に溝または凹部が設けられている請求項１ないし７のいずれか１項に記載の器具。
【請求項９】
マスク部分の周縁部の末端はマスク部分の背面側に向かって伸びる上方伸張部分を有する請求項１ないし８のいずれか１項に記載の器具。
【請求項１０】
上方伸張部分は、マスク部分の使用中において食道からマスク部分の基端側への流体の流れを促進するように１つ以上の開口部を有する請求項９記載の器具。
【請求項１１】
マスク部分の周縁部は膨脹性のカフスを有し、軟質で可撓性の部分は膨脹性のカフスから伸びている請求項１ないし１０のいずれか１項に記載の器具。
【請求項１２】
患者に通気気体が供給されるマスク部分の開口部の末端には傾斜部または斜面が設けられる請求項１ないし１１のいずれか１項に記載の器具。
【請求項１３】
輪状軟骨組織に向かって伸び、マスク部分が適切に挿入されるとき輪状軟骨組織と接触する輪状軟骨接触部分をマスク部分が有し、輪状軟骨接触部分は輪状軟骨組織または上部食道の近傍にシールを形成するのに適している請求項１ないし１２のいずれか１項に記載の器具。
【請求項１４】
マスク部分が適切に挿入されるとき、マスク部分は輪状軟骨組織を過ぎて伸びる末端部を有する請求項１ないし１３のいずれか１項に記載の器具。
【請求項１５】
マスク部分の輪状軟骨接触部分はマスク部分の背面の内側から伸びている突出部を有する請求項１３記載の器具。
【請求項１６】
輪状軟骨接触部分は、使用時に輪状軟骨組織と接触する弾性で可撓性の構造を有する請求項１３または１５記載の器具。
【請求項１７】
輪状軟骨接触部分は、軟質で可撓性の部分の末端部とともに、輪状軟骨組織にぴったりと適合するスリングの形状をしている請求項１３、１５または１６記載の器具。
【請求項１８】
器具は、マスク部分の基端部またはマスク部分と気道チューブが接合されるか又は結合される箇所の近傍に曲面部を有する請求項１ないし１７のいずれか１項に記載の器具。
【請求項１９】
マスク部分に気体が供給されるとき、軟質で可撓性の部分は梨状陥凹内に伸びて梨状陥凹を満たすような形状である請求項１ないし１８のいずれか１項に記載の器具。
【請求項２０】
輪状軟骨接触部分の背面側は、マスク部分のいずれか一方の側の通路における流体の流通を促進するように横方向に伸びている１つ以上の開口部を有する請求項１３、１５または１６記載の器具。
【請求項２１】
軟質で可撓性の部分はマスク部分の残部よりも厚さの薄い壁を有する請求項１ないし２０のいずれか１項に記載の器具。
【請求項２２】
軟質で可撓性の部分の壁の厚さは開口部の近傍で最小である請求項２１記載の器具。
【請求項２３】
軟質で可撓性の部分の開口部はその開口部の周りまたは近傍に厚さの厚い材料のリングまたは部分を有する請求項１ないし２２のいずれか１項に記載の器具。
【請求項２４】
マスク部分の末端または末端近傍に１つ以上の開口部を有し、マスク部分が患者の体内に挿入されるとき、１つ以上の開口部は食道と咽頭との間に流体を通じるようにする長手方向に伸びている１対の通路または空洞を伴い、１つ以上の横方向に伸びている開口部は一対の通路の間の流体の流通を促進する請求項１ないし２３のいずれか１項に記載の器具。
【発明の詳細な説明】
【技術分野】
【０００１】
本発明は、患者に気道を維持するための器具に関する。好ましい実施形態において、本発明は、喉頭マスクに関する。
【背景技術】
【０００２】
気道を使用可能に維持することは、一般的に麻酔された状態で実行される外科手術の間に患者を安全な状態にするために重要である。外科手術中、気道を使用可能な状態に維持するために、長年の間、患者に気管内チューブを挿入することが行われてきた。気管内チューブは、口腔または鼻腔を経て喉頭に挿入されるか、声帯を経て気管内に挿入されていた。気管内チューブを声帯を経て挿入しなければならないので、気管内チューブを正確に位置決めするのは困難なことが多かった。
【０００３】
特許文献１（米国特許第4,509,514号明細書に対応するもの）は、患者に気道を維持するための器具を開示している。その器具は人工気道器具であると記載されている。その器具は、喉頭の後ろの空間に適合し、喉頭の内部を貫通することなしに喉頭の入口の周囲を密封するような形状である、中空のマスク部分の一端が開口している可撓性で曲がっているチューブを有している。市販されている、この形態の器具はマスクの周縁部の周りに伸びている膨脹性のえりを有している。この膨脹性のえりは、えりが膨脹するとき、喉頭の入口をシールする。従って、マスク部分はのどの後部に向けて押圧されるような膨脹性の後部を有しており、それによって喉頭の入口付近のシール圧を増すのである。
【０００４】
特許文献１は、マスクの形状および膨脹性の部分が、喉頭の入口と喉頭の後部の咽頭の下部の壁との間の空間の形状にほぼ近似していることを記載している。咽頭の後部を形成する組織の壁は比較的硬いので、マスクが膨脹すると喉頭の入口を囲む組織に対してマスクをきつく押し付けて気密性のシールを形成する一方、マスクを係止する。
【０００５】
特許文献１に記載された器具を使用するとき、その器具は患者の口から挿入され、マスクが咽頭の末端に達するまで咽頭を下降して喉頭蓋を過ぎて、通常は閉じている食道の上端に達する。マスクの膨脹性のリングは喉頭の入口付近をシールするように膨脹する。このようにして、患者の気道は確保され、ふさがれることはない。喉頭マスクは、正圧または自然な呼吸のために、一般的な麻酔ホースに直接接続することができる。
【０００６】
患者に麻酔が施されているとき、患者はしばしば仰向けまたは横向きになって水平に横たわっている。麻酔が施されているとき、人体の反射的な反応は抑えられ、食道から胃の頂部を閉じる括約筋は弛緩される。従って、胃液（酸性である）が食道を通って流れることが可能になる。胃液が肺へ吸引されることは致命的な結果を招くので、胃液が気管に入らないようにすることは重要である。
【０００７】
同様に、患者が麻酔を施されて、鼻、口または咽頭の外科手術（例えば、扁桃腺摘出術、内視鏡鼻骨外科手術）を受けているとき、だ液、血液および鼻の分泌液は喉頭咽頭に沿って下降して気管に入り、その後、肺に入る。これは、危険な状況である。
【０００８】
特許文献１に記載されたようなマスクを使用するとき、本発明者は、相当量の胃液がマスクの周囲に集まれば、胃液はマスクのシールを越えて道を確保し、肺へ侵入することを発見した。胃液と胃酸が肺に入るならば、危険である。
【０００９】
特許文献１に記載されたマスクは、パイロットラインのバルブの欠陥または膨脹性リングもしくは膨脹性えりの漏れや亀裂によって、膨脹性リングまたは膨脹性えりに起こる漏れの問題を有している。カフスのガス抜きは、実質的に喉頭の周囲のシール性が失われる機会を増加し、胃酸が肺に入る可能性を大きくすることが分かる。カフスのガスを抜くことなく普通に使用しているときでさえ、他に胃酸が逃げていく所がないので（カフスが喉頭咽頭をブロックしているので）、胃酸がカフスを超えて空気通路に入る可能性がある。市販されている入手可能なマスクは、すべての患者、特に大きな腹部の患者において安全に使用することができないという限界がある。
【００１０】
上記問題の発生を最小限にするために、特許文献１は、喉頭領域の全部をシールするような二重のカフスを有する喉頭マスクを導入した。このマスクは、喉頭マスクの後部に沿って伸び、食道に入る付加的なチューブを採用した。この付加的なチューブの通路を経て挿入されるライル(Ryles)チューブによって胃酸を吸引することが可能になる。喉頭マスクの食道チューブが吸引することによって、食道の組織が第二チューブの入口に吸引されることが分かった。これによって第二チューブが塞がれ、食道上部から胃酸が除去されるのが妨げられる。
【００１１】
二重のカフスの喉頭マスクは、マスクの喉頭側に向けて開放している２つの小さな付加的なチューブを有している。これらは喉頭のシールを越えて道を確保し、喉頭から胃液を除去するために使用することができる。しかし、チューブが吸引することによって、気管から麻酔ガスを除去する可能性があり、肺を衰弱させる可能性を増加してしまう。胃から生じる酸のすべてをうまく除去することはできない。従って、マスクの小直径の開口よりも流体の流れに対して低抵抗の通路を提供する大直径の気道があると、気管支チューブは仰向けの患者においては低い位置にあるため、胃酸が大直径の気道（気管）に流れ込むことは好ましい。
【００１２】
改良された喉頭マスクは、特許文献２に開示されている。
【００１３】
我々の国際出願PCT/AU2004/001011において、その全ての内容が参考のために本願に含まれているが、マスクが喉頭咽頭に位置するときマスクが喉頭とのシール性を確保し、それによって異質の流体が喉頭に入るのを妨げ、マスクが喉頭咽頭に挿入されるときマスクの周縁部は喉頭咽頭と食道との間で流体が流通するような少なくとも１つの空洞を定め、マスクが喉頭咽頭に適切に挿入されるとき喉頭に気体を通過させるために気道チューブがマスクと接続されるか又はマスクとともに形成されるような形状である、弾力性のある周縁部をマスクが備えている、患者に気道を維持するための上記マスクを有する器具を我々は上記オーストラリア特許に開示している。
【００１４】
この器具は好ましい実施形態において、その周縁部の周りに膨脹性のカフスを有しない。むしろ、弾性材料で製造されたマスクの壁は、外側およびそれから上方および内側に向かって伸びる設計形状である。この形態において、壁は喉頭の周りにシールを形成し、麻酔中に食道からの流体が喉頭に入るのを妨げる。さらに、マスクが喉頭咽頭に挿入されるとき、その壁は、喉頭咽頭と食道との間に流体を流通させる空洞を定める。
【００１５】
上記のような喉頭マスクは広く受け入れられることが分かったけれども、患者の気道に喉頭マスクを挿入している間に困難なことがある。特に、喉頭マスクの挿入中にマスクの先端が咽頭としばしば接触することがある。これによって、患者の人体の適切な位置にマスクを置くために、喉頭マスクの挿入中にマスクを操作しなければならないという余分な作業が増える。
【００１６】
人体の頭部および首の組織は非常に多くの筋肉、神経および軟骨組織を含んでいる。甲状軟骨組織は、気管の上部の前面付近まで伸びている、開放している、一般に半円筒状の軟骨組織を含んでいる。甲状軟骨組織の下部に輪状軟骨組織がある。輪状軟骨組織は気管の上部付近まで伸びている密な軟骨のリングを形成する。輪状軟骨組織の後部は気管と食道との間の壁に位置している。
【００１７】
密なリングまたは閉じたリングの形態である輪状軟骨組織は、可能な限り満たされた胃を有し、緊急外科手術を必要としている患者または呼吸を停止した患者の食道を閉じるために使用される。これらの場合において、気管内チューブまたは喉頭マスクのいずれかが、空気の流通する気道を確保するために患者に挿入される。しかし、患者の胃は満たされているので、吐きもどし又は嘔吐の危険性がある。それゆえ、食道を喉頭の壁の後部に押し付けるために首の前部から輪状軟骨組織に向けて付加される、輪状軟骨の圧力が上部食道まで達するようにされ、吐きもどされた物質が声門領域に入るのを停止し、肺に吸入されるのを防ぐ。輪状軟骨の圧力は、気道が充分に確保されるようになるまで付加され、維持されなければならない。市販されている入手可能な喉頭マスクを使用して間欠的な正圧の通気(IPPV)を達成するためには、輪状軟骨の圧力が必要であることが分かった。輪状軟骨の圧力を効果的に維持するためには余分に訓練された人員が必要である。
【先行技術文献】
【特許文献】
【００１８】
【特許文献１】英国特許第2,111,394号明細書
【特許文献２】オーストラリア特許第630433号明細書
【発明の概要】
【発明が解決しようとする課題】
【００１９】
本発明の目的は、上記の不都合な点の一つ以上を解消するか又は改善する改良された喉頭マスクを提供することにある。
【課題を解決するための手段】
【００２０】
本発明を明瞭に記載するために、以下の取り決めが明細書を通して使用される。気道器具が患者の人体の適切な位置に置かれるとき、マスクは喉頭側（患者の喉頭に最も近い側、マスクの前面側または前部側と呼称される）と、喉頭から離れている背面側にある他の側とを有していることが分かる。背面側の末端は食道に面している。背面側の基端は患者の咽頭および口に面している。喉頭に面するマスクの側面は本明細書において喉頭側または前面側と称される。本明細書の方向を示す語において、用語“下方”または文法的にその均等の語は、マスクの喉頭側または前面側に向かって移動する方向を指す。本明細書において、用語“上方”または文法的にその均等の語は、マスクの背面側に向かって移動する方向を指す。
【００２１】
一形態において、本発明は患者に気道を維持するための器具を提供する。
【００２２】
上記器具は、
マスクが喉頭咽頭に位置するとき異質の流体が喉頭に進入するのを防止するように、喉頭をシールする周縁部を有するマスクと、
マスクが喉頭咽頭に適切に挿入されるとき喉頭に気体が通過するようにマスクに接続されるか又はマスクに形成された気道チューブとを有し、
器具が患者の体内に挿入されるとき、喉頭の開口部を囲む組織に接触する軟質で可撓性の部分をマスクの周縁部は有し、気道チューブに注入された加圧気体が軟質で可撓性の部分を喉頭の開口部または咽頭の壁を囲む組織と接触させるように、軟質で可撓性の部分が配置されている。
【００２３】
一形態において、軟質で可撓性の部分は内方に伸びた部分を有しており、内方に伸びた部分はマスクの前面側に位置している。内方に伸びた部分は、通気を可能とする開口部を含むか又は定めるのが都合がよい。気道マスクに加圧気体が注入されるとき、内方に伸びた軟質で可撓性の膜部分は膨脹するのが都合がよい。この膨脹によって、気道マスクに加圧気体が注入されないとき、軟質で可撓性の膜部分は喉頭の開口部を囲む組織と大きな力で強固に接触するように強制される。軟質で可撓性の膜部分が喉頭の開口部を囲む組織と接触する力は気道チューブ内の加圧気体によって大きくなるので、軟質で可撓性の膜部分と喉頭の開口部を囲む組織とのシール性が改善される。このように、喉頭の開口部を囲む組織とのシール性を確保するときの軟質で可撓性の膜部分の強度または効果は気道チューブに注入される気体の圧力に比例している。これは、喉頭の開口部を囲む組織との間において形成されるシールの強さは、膨脹性のカフスの膨脹圧力に依存しているか（膨脹圧力は気道チューブを経て注入される気体の圧力に独立である）又は喉頭マスクの周縁部を製造するための材料の強度および弾性に依存している、既存の喉頭マスク気道器具との直接的な差違である。一般的な喉頭マスクのシール性を改善するために、しばしばより大きいマスクが使用される。しかし、これは患者の不快感を増し、回復時間が長くなるという結果を招く。本当に、気道圧力がIPPVの間に増加するとき、シール性を確保するために膨脹性のカフスを有する市販されている喉頭マスクにおいて、増加した気道圧力によって、前面の咽頭壁を押してマスクの既に膨脹した固定された周縁のカフスから引き離し、マスクと咽頭壁との間に間隙が形成される。その結果、固定された膨脹したカフスと咽頭壁との間から気体が漏れる。
【００２４】
ある形態において、マスクが患者の体内にあるとき、軟質で可撓性の部分は喉頭の周りの組織にもたれて伸びている。軟質で可撓性の部分は、加圧気体がマスクに供給されるとき、喉頭の周りの組織と接触するように強制される。
【００２５】
軟質で可撓性の膜は、ドーム状の膜、折り畳まれた膜または喉頭の開口部を囲む組織と実質的に平行に伸びる部分を含む膜を有している。軟質で可撓性の膜は開口部の近傍に厚さの薄い壁を有するのが好ましく、軟質で可撓性の膜は開口部を含むか又は開口部を定める。
【００２６】
ある形態において、軟質で可撓性の部分の開口部は開口部の周りまたは近傍に厚さの厚い材料のリングまたは部分を有する。これは、開口部の形状を維持するのに役立つ。
【００２７】
軟質で可撓性の膜はマスクと一体に形成することができる。また、軟質で可撓性の膜は、例えば、接着剤を使用するか、超音波溶接するか、又は他の適当な接合手段によってマスクと接続することができる。
【００２８】
軟質で可撓性の膜は、より大きな構造の一部とすることができる。より大きな構造は軟質で可撓性の膜より厚さが厚い壁かもしくは可撓性の低い部分又は領域を有している。気道器具が患者の体内に挿入されるとき、軟質で可撓性の膜が喉頭の開口部を囲む組織と接触するように、より大きな構造は配置される。気道器具が患者の体内に挿入されるとき、軟質で可撓性の膜は喉頭の開口部を囲む組織に対して実質的に平行にもたれるように、より大きな構造は配置される。
【００２９】
軟質で可撓性の膜は、本発明の他の形態に関して記載した気道器具とともに利用できるようにすることができる。
【００３０】
本発明の他の形態において、マスクは弾性材料から製造することができる。気道チューブに加圧気体が供給されると、マスク内で増加した圧力（加圧気体から生じる）がマスクを膨脹させる。マスクの壁の厚さは変えることができるので、マスクの異なる部分の膨脹の程度を変えることができる。この膨脹によって、咽頭の壁に対する全方向においてマスクの周りのシール性を増加するのに役立つ。咽頭の前面壁（すなわち、喉頭の開口部を囲む組織）に面するマスクの一部は厚さの異なる壁で製造されているので、より薄い部分は最大限膨脹し、より薄い部分が接触している組織に対して圧力を及ぼす。このマスクの膨脹は通気ガスによって起こされる。このように、マスクによって達成されるシール性の強さまたは効果は、使用される通気ガスの圧力に比例する。
【００３１】
ある形態において、本発明の器具は、患者に使用中において、その器具に容易にテープで止めるか又は縛り付けることができるように、気道チューブから伸びているか又は気道チューブに取り付けられる１つ以上のループまたはブラケットを有している。１つの形態において、１つ以上のループまたはブラケットは気道チューブの前面側に位置している。別の形態において、１つ以上のループまたはブラケットは気道チューブの前面側および背面側の両方に位置している。
【００３２】
また、別の形態において、気道チューブには、マスクを容易に固定するためと、器具を取り扱う医者の指による位置決めのために、１つ以上の凹部を設けることができる。例えば、２本以上の指のためのグリップを気道チューブに形成することができる。
【００３３】
本発明のマスクは、正圧による通気のため、蘇生のため及び麻酔のために使用することができる。
【００３４】
ある形態において、軟質で可撓性の膜には補強リブのような１つ以上の補強部材を設けることができる。その補強部材は、加圧気体がマスクに供給されないとき、軟質で可撓性の膜の形状を維持するのに役立つ。
【００３５】
ある形態において、マスクの末端近傍には背面溝または背面凹部を設けることができる。この背面溝または背面凹部は、マスクが患者の体内に挿入されるとき、マスクの末端が咽喉の後部壁に接触するとき、マスクの末端が折り畳まれるようにするのに役立つ。挿入が継続されると、マスクの末端は結局広げられる。それゆえ、マスクの末端近傍の背面溝または背面凹部は、挿入中にマスクが咽喉の後部壁に引っかかるのを防止する。マスクの末端近傍の背面溝または背面凹部は、粘液を含む膜が損傷される可能性を低減し、患者に挿入中にマスクを正しい方向にガイドするのに役立つ。
【００３６】
ある形態において、マスクの前面周縁部の末端はマスクの背面側に向かって伸びる上方伸張部分を有している。これは都合がよい。というのは、マスクの挿入中において、マスクの末端は喉頭に達するので、末端において上方に伸びている上方伸張部分は喉頭に突き進むことはなく、喉頭を突き刺すことはないからである。それゆえ、マスクの末端が喉頭に侵入するという危険性は低下する。換言すれば、末端の曲面部は、マスクの末端が喉頭の背後で容易にスライドするように喉頭の背後をすくうような動きをするからである。
【００３７】
上方伸張部分は、マスクの使用中において食道からマスクの基端側への流体の流れを促進するように、１つ以上の開口部を有している。上方伸張部分は、上方に伸びる壁によって特定され、開口部はその壁の中に設けることができる。
【００３８】
本発明のある形態において、マスクの末端は大きな曲率半径を有する。これは、マスクの末端が比較的丸い外観を有することにつながる。これによって、マスクが患者の咽頭の背部の組織または喉頭の入口にからまりにくくなるので、マスクを患者の気道に挿入することを促進することになる。
【００３９】
ある形態において、マスクの周縁部は、膨脹性のカフスと、膨脹性のカフスから伸びている軟質で可撓性の膜とを含むことができる。
【００４０】
患者に気体が供給されるマスクの開口部の末端には傾斜部または斜面を設けることができる。この傾斜部又は斜面はマスクの挿入中において喉頭を容易にスライドするのに役立つ。それによって、喉頭を適切な位置に配置することができる。さらに、喉頭は開口部に着座するので、マスクが患者から離れた位置に挿入されることはなく、患者の体内にマスクを正確に位置決めすることができる。
【００４１】
マスクの末端または末端近傍には、１つ以上の開口部を設けることができおる。１つ以上の開口部はマスクが患者の体内に挿入されるとき、食道と咽頭との間で流体が流通するのに役立つ。
【００４２】
マスクには、使用時に食道と通じている１つ以上の長手方向に伸びている通路または空洞を設けることができる。１つ以上の長手方向に伸びている通路または空洞には、マスクの末端に形成された１つ以上の開口部と流体が流通するようにされる。
【００４３】
ある形態において、本発明のマスクは、気道チューブと通じ、使用時に患者の喉頭と通じるチャンバを定める中央部を含む。マスクの周縁部には下方および内方に伸びるチャンバの下端が形成され、それによって使用時に喉頭をシールする周縁部が定められる。周縁部は軟質で可撓性の膜を含む。マスクの背面はチャンバの上方に位置する。背面はチャンバの上部を横切って伸びる部分を含む。マスクの下部の末端面（または前部の末端面）には下方および内方に伸びた部分が形成されているので、マスクの背面の側部およびマスクの前側の末端部外端は、マスクの使用時に、食道とマスクの基端部との間で流体が通じるようにする通路または開口部を定める。
【００４４】
別の形態において、マスクは、チャンバの上部を横切って伸びる背面の一部から離間している長手方向に伸びている壁を含む。この長手方向に伸びる壁は、チャンバの上部を横切って伸びる背面の一部を流体が流通するようにし、チャンバの上部を流体が流通するようにする。
【００４５】
本発明のさらに別の形態において、流体の通路は少なくとも１つの開口部を有している。流体の通路に開口部を設ければ、マスクの挿入時にマスクが容易に変形し、マスクを挿入するのに役立つことが期待できる。
【００４６】
ある形態において、マスクが適切に挿入されるとき、輪状軟骨組織に向かって伸び、輪状軟骨組織と接触する輪状軟骨接触部分を含む。輪状軟骨接触部分は輪状軟骨組織の近傍にシールを形成する。
【００４７】
ある形態において、マスクが適切に挿入されるとき、マスクは輪状軟骨組織を過ぎて伸びる末端部を有している。
【００４８】
輪状軟骨組織に向かって伸びているマスクの輪状軟骨接触部分は、マスクの背面の内側または前面側から伸びている突出部を有している。この突出部は、マスクの気道空洞または気道チャンバ内の前面方向に伸びている。輪状軟骨接触部分は、その部分が輪状軟骨組織に接触するとき、輪状軟骨組織を背部の咽頭壁から引き離すように、弾性材料から製造することができる。これによって、輪状軟骨組織と背部の咽頭壁との間に現実の空間を形成する。ある形態において、マスクの輪状軟骨接触部分は、輪状軟骨組織の背部および背部側面に向かって圧力を及ぼす。これによって、輪状咽頭および食道の上端を開いて、食道から咽頭へ流体が自由に流れるようにすることができる。次いで、これによって、吸引することで、胃から流動物を吐きもどすことができる。
【００４９】
さらに、輪状軟骨組織に接触するマスクの輪状軟骨接触部分は、輪状軟骨接触部分と輪状軟骨組織との間のシール性を改良し、マスクを使用して得られる喉頭の周りのシール性を改良する。さらに、輪状軟骨接触部分は、マスク内の貯留部と通路との間において流体が良好に流通するような位置に食道上部が配置されることを確保する。貯留部は、通路内の流体の流通を可能とするマスクの通路、マスクの末端の開口部およびマスクを横切って伸びる開口部によって形成される。
【００５０】
軟骨組織に向かって伸びている輪状軟骨接触部分は、軟骨組織の背部が輪状軟骨接触部分にぴったりと嵌るような形状とすることができる。輪状軟骨接触部分は、軟骨組織の近傍のシール性を改良する。
【００５１】
輪状軟骨接触部分は、使用時に軟骨組織と接触する弾性で可撓性の表面を有している。これによって、軟骨組織に接触する表面が軟骨組織の近傍に非常に良好なシール性を確保することができる。
【００５２】
輪状軟骨接触部分は、軟骨組織にぴったりと適合するスリングの形状とすることができる。
【００５３】
輪状軟骨接触部分の背部に位置するマスク部分は、橋渡しのように作用する。その橋は、マスクの一方の側の通路とマスクの他方の側の通路との間で横方向に流体を流通させる１つ以上の開口部（横方向の開口部）を含むことができる。この開口部は、吐きもどされた流体がマスクのいずれか一方の側の通路を移動することを可能とし、また、吐きもどされた流体を集めるための大きい貯留部を形成する。また、一方の通路のみを吸引することによって、流体をその通路を経て除去することができる。他方の通路から排気することで、貯留部に負圧が形成されるのを避けることができる。橋に開口があることで、吸引される通路と排気される通路との間で適切な流体の流通を可能にし、排出される空気が開口を経て容易に流れ（マスクを横方向に流れ）、吸引される通路を流れ下ることができる。
【００５４】
マスクは貯留部を定めることができる。貯留部は通路およびマスクを貫く横方向の開口部によって定めることができる。マスクの末端における開口部は貯留部の一部を形成する。
【００５５】
輪状軟骨接触部分は、食道からの流体を容易に流れるようにする輪状軟骨の背部に圧力を形成し、マスク内の通路の１つを強く吸引することによってその流体を貯留部から素速く除去することができるか又は、少なくとも吐きもどされた流体を食道の上部から容易に排出することができる。それによって、食道の上部に流体が蓄積されて圧力が上昇するのを防止することができ、流体が患者の肺へ吸引されるような危険性を防止することができる。
【００５６】
マスクは内壁を有するチャンバを備えることができる。そのチャンバはマスクの使用中、喉頭に面している。マスクの周縁部はそのチャンバの周りに沿って伸びている。マスクの周縁部は上記チャンバの前面の延長部として形成される。気体が気道チューブからチャンバ内に流入し、それから患者の喉頭および気管内に流入するように、上記チャンバは気道チューブと通じている。輪状軟骨接触部分は、上記チャンバの背面の内壁から延長することができる。また、輪状軟骨接触部分は、上記チャンバの背面の内壁の前面に位置する突出部または盛り上がり部を有することができる。
【００５７】
輪状軟骨接触部分は、マスクの末端に配置することができる。
【００５８】
マスクの末端は、マスクの背面側へ伸びる部分を含む。この部分はマスクの背面側へ伸びる斜面または傾斜部を含むことができる。この部分は輪状軟骨接触部分の末端部を含むことができる。
【００５９】
ある形態において、輪状軟骨接触部分はマスク内のスプリング効果を使用して輪状軟骨組織に圧力を付加する。これによって喉頭の周りに完全なシール性を確保し、より大きな正圧の間欠的な通気(IPPV)を可能とし、胃から吐きもどされた流体が吸入されるのを防止する。これは食道と空気通路または気管とを隔離し、胃からの流体が食道を流通する場合には、食道から排出されるようにする。
【００６０】
ある形態において、その器具は、マスクの基端部またはマスクと気道チューブが接合されるか又は結合される箇所の近傍に曲面部を有する。これはマスクを患者の体内に挿入するのに役立つことが期待できる。ある形態において、マスクは、曲面部の基部に近い気道チューブの反対方向に曲面部を有することができる。これによって、マスクの挿入中にマスクの先端が背面側を押し、マスクの挿入中にマスクが喉頭に引っかかる可能性を最小限にする。マスクの末端または末端近傍で背面に伸びる斜面はこの点に関して役立つ。
【００６１】
ある形態において、軟質で可撓性の膜は、マスクに気体が供給されるとき、梨状陥凹内を伸び、梨状陥凹を満たすような形状とすることができる。梨状陥凹は、喉頭の入口近くの組織である。この組織は、それを支持する骨または軟骨組織を下側に有しない、喉頭のいずれか一方の側に軟質領域を提供する。それゆえ、梨状陥凹は、市販されている喉頭マスクにおいてマスクが患者の体内に挿入されるとき、潜在的な漏れの場所となる。軟質で可撓性の膜を供給することによって、通気は軟質で可撓性の膜が梨状陥凹内でふくれ上がるようにし、通気を利用して梨状陥凹の部分のシール性を向上する。
【００６２】
ある形態において、その器具は患者の挿管治療を促進するために使用することができる。ある形態において、マスクの背面の壁は、マスクの開口部を経て患者の気管内に挿入される気管チューブの端部を導くための斜面またはガイドとして作用する前面延長部を含むことができる。一形態において、前面延長部はマスクの輪状軟骨接触部分から伸びる付加的延長部を形成する。また、前面延長部は気道チャンバ内の背面壁の下面を横切って伸びる輪状軟骨接触部分の基端部に近い分離した組織を有することができる。
【００６３】
他の形態において、その器具はマスクのチャンバー内を上方に向かって伸びるバリアを含むことができる。そのバリアは、マスクの開口部を経て患者の気管内に挿入される気管チューブの端部を導くためのガイドを形成する。
【００６４】
一形態において、上記バリアは、フラップを形成する。そのフラップは開放端又は開放端部を有する。上記フラップの幅は上方に向かって先細状である。別の形態において、上記バリアは、マスクの開口部の末端からマスクの背面側に向かって上方に伸びる壁部分を有する。
【００６５】
一形態において、上記フラップは開口部の末端の周りから上方に伸びる。
【００６６】
一形態において、マスクの背面の壁は上記フラップを受け入れるような形状である。例えば、背面の壁はチャンバーの背面の壁に形成される、上記フラップを受け入れるような凹部を含むことができる。また、背面の壁が輪状軟骨接触部分と分離している前面延長部を含む場合、前面延長部は基端部から輪状軟骨接触部分に向かって内側の背面壁から前面方向に伸びている。前面延長部は背面に伸びる末端部を含み、輪状軟骨接触部分は前面延長部の末端から前面方向に伸びている。この形態において、前面延長部の末端は、上記バリアまたはフラップを受け入れることができる、前面延長部の末端に位置する凹部を定める。
【００６７】
一形態において、上記バリアまたはフラップは、その器具が患者の体内に挿入されるとき、凹部内を移動する。これに関して、患者の体内に器具を挿入することは器具の周縁部を変形させ（器具の周縁部と患者の組織との間の相互作用によって）、その変形によって上記フラップを移動させ、フラップが凹部内を伸びる。ある形態において、上記フラップは凹部の壁にもたれかかるか、又は上記フラップは輪状軟骨接触部分にもたれかかる。この形態において、上記フラップは気管チューブの表面となる。それゆえ、気管チューブが挿入されるとき、気管チューブの端部はフラップに沿って移動し、器具の開口部を経て排出される。
【００６８】
フラップが凹部内を伸びるか又は凹部内にあるとき、凹部はフラップ上端の下方に伸びる端部壁を有している。このように、気管チューブが挿入されるとき、気管チューブは凹部の端部壁に接触してフラップの開放端の下方にスライドするので、フラップの開放端は気管チューブの端部に接触することができない。凹部の基端部において上方に向かって背面壁が伸びるとともに、背面壁の基端部はマスクの前面側に向かって伸びる部分を含み、上記凹部は下方に向かって伸びる末端部を含むのが好都合である。
【００６９】
これらの形態のマスクは、患者に挿管治療を施すか又は患者の気管に他の器具を挿入するのに特に適している。
【００７０】
ある形態において、軟質で可撓性の部分は０．１mmから１mmの間の厚さを有し、０．１mmから０．６mmの間の厚さを有するのがより好ましい。軟質で可撓性の部分は、一般に、マスクの他の部分より厚さの薄い壁を有する。
【００７１】
マスクは、シリコーン、ＰＶＣ、ニトリル、ウレタンなどを含む弾性ポリマー、医療等級のポリマーまたは食料等級のポリマーのような適切なポリマー材料から製造することができる。当業者であれば、多くの材料が本発明の器具を製造するために使用できることが容易に理解できる。
【００７２】
さら別の形態において、本発明はマスク部分および気道チューブを有する喉頭マスクを提供する。マスク部分は患者の喉頭の周りの組織とのシール性を形成する周縁部を有し、マスク部分は気道チューブと通じている開口部を含み、マスク部分の内側の背面壁はマスクの開口部を経て患者の気管内に挿入される気管チューブの端部をガイドするための斜面またはガイドとして作用する前面に伸びた部分を含む。喉頭マスクは、マスク部分のチャンバ内を上方に向かって伸びるバリアを含み、そのバリアはマスクの開口部を経て患者の気管内に挿入される気管チューブの端部をガイドするためのガイドを形成する。
【００７３】
別の形態において、本発明は、患者の体内に気道を維持するための器具を提供する。その器具は、マスクが喉頭咽頭に位置するとき喉頭との間においてシールを形成し、それによって喉頭に異質流体が進入するのを防止する周縁部を備えたマスクと、
マスクが喉頭咽頭に適切に挿入されるとき、喉頭に気体を通過させるためにマスクに接続されるか又はマスクに形成された気道チューブとを備え、
マスクが適切に挿入されるとき、輪状軟骨組織に向かって伸びて輪状軟骨組織に接触する輪状軟骨接触部分をマスクが有し、その輪状軟骨接触部分は輪状軟骨組織の近傍にシールを形成するのに適したものである、患者の体内に気道を維持するための器具を提供する。
【００７４】
本発明をさらに理解するために、本発明の好ましい実施形態について図面を参照しながら説明する。
【図面の簡単な説明】
【００７５】
【図１】図１は、本発明の一実施形態の喉頭マスクの斜視図である。
【図２】図２は、図１の喉頭マスクを異なる方向から見た斜視図である。
【図３】図３は、図１に示す喉頭マスクの端面図である。
【図４】図４は、図１に示す喉頭マスクの側面図である。
【図５】図５は、図１に示す喉頭マスクの底面図である。
【図６】図６は、図１に示す喉頭マスクの長手方向の断面図である。
【図７】図７は、図６のＥ−Ｅ線に沿った端部断面図である。
【図８】図８は、図１のＦ−Ｆ線に沿った端部断面図である
【図９】図９は、本発明の別の実施形態の喉頭マスクの斜視図である。
【図９Ａ】図９Ａは、図９に示す喉頭マスクに類似するマスクの斜視図である。
【図１０】図１０は、図９に示す喉頭マスクの正面図である。
【図１１】図１１は、図９のＡ−Ａ線に沿った断面図である。
【図１２】図１２は、図９に示す喉頭マスクの端面図である。
【図１３】図１３は、図９に示す喉頭マスクの側面図である。
【図１４】図１４は、図９に示す喉頭マスクの頂面図である。
【図１５】図１５は、本発明のさらに別の実施形態の喉頭マスクの斜視図である。
【図１６】図１６は、図１５に示す喉頭マスクの正面図である。
【図１７】図１７は、図１６のＡ−Ａ線に沿った断面図である。
【図１８】図１８は、図１５に示す喉頭マスクの端面図である。
【図１９】図１９は、図１５に示す喉頭マスクの側面図である。
【図２０】図２０は、図１５に示す喉頭マスクの頂面図である。
【図２１】図２１は、本発明のさらに別の実施形態の喉頭マスクの斜視図である。
【図２２】図２２は、図１６に示す喉頭マスクの断面図である。
【図２３】図２３は、図２１に示す喉頭マスクの頂面図である。
【図２４】図２４は、図２１に示す喉頭マスクの正面図である。
【図２５】図２５は、本発明のさらに別の実施形態の喉頭マスクの斜視図である。
【図２６】図２６は、図２５に示す喉頭マスクの断面図である。
【図２７】図２７は、図２５に示す喉頭マスクの頂面図である。
【図２８】図２８は、図２５に示す喉頭マスクの正面図である。
【図２９】図２９は、本発明のさらに別の実施形態の喉頭マスクを下から見た斜視図である。
【図３０】図３０は、図２９に示す喉頭マスクを上から見た斜視図である。
【図３１】図３１は、図２９に示す喉頭マスクの側面図である。
【図３２】図３２は、図２９に示す喉頭マスクの正面図である。
【図３３】図３３は、図２９に示す喉頭マスクの背面図である。
【図３４】図３４は、図２９に示す喉頭マスクの断面図である。
【図３５】図３５は、本発明のさらに別の実施形態の喉頭マスクの斜視図である。
【図３６】図３６は、図３５に示す喉頭マスクを上から見た斜視図である。
【図３７】図３７は、図３５に示す喉頭マスクの断面図である。
【図３８Ａ】図３８Ａは、図３５に示す喉頭マスクを、図３８のＢ−Ｂ線に沿って切断した断面図である。
【図３８Ｂ】図３８Ｂは、図３５に示す喉頭マスクを、図３８のＣ−Ｃ線に沿って切断した断面図である。
【図３８Ｃ】図３８Ｃは、図３５に示す喉頭マスクを、図３８のＤ−Ｄ線に沿って切断した断面図である。
【図３８Ｄ】図３８Ｄは、図３５に示す喉頭マスクを、図３８のＥ−Ｅ線に沿って切断した断面図である。
【図３９Ｂ】図３９Ｂは、図３５に示す喉頭マスクを、図３９のＦ−Ｆ線に沿って切断した断面図である。
【図４０】図４０は、本発明のさらに別の実施形態の喉頭マスクの下面図である。
【図４１】図４１は、本発明のさらに別の実施形態の喉頭マスクの下面図である。
【図４２】図４２は、本発明のさらに別の実施形態の喉頭マスクの下面図である。
【図４３】図４３は、本発明のさらに別の実施形態の喉頭マスクの斜視図である。
【図４４】図４４は、図４３に示す喉頭マスクの断面図である。
【図４５】図４５は、内側の背面壁に隣接するバリア部材を備えた図４３に示す喉頭マスクの斜視図である。
【図４６】図４６は、図４５に示す喉頭マスクの断面図である。
【図４７】図４７は、マスクを通過する気管チューブまたは光ファイバガイドを備えた図４６に示す喉頭マスクの断面図である。
【発明を実施するための形態】
【００７６】
以下、本発明の好適な実施形態について図面を参照しながら説明する。本発明は図面に示す形態のもののみに限定されない。
【００７７】
図１ないし図８に示す喉頭マスク１００は、マスク部分１０２と気道チューブ１０４を有している。マスク部分１０２と気道チューブ１０４は、一体のものとして構成することもできるし、両者をぴったりと嵌め込むようにするか又は接合するように別々の部品とすることもできる。
【００７８】
マスク部分１０２は、使用時に、患者の喉頭の周りを伸び、患者の喉頭をシールする周縁部１０５を有している。マスク部分１０２は、マスク部分１０２の上部または背面部を定める屋根１０８を有している。図６に示すように、チャンバ１１０は、マスク部分１０２の中に定められる。チャンバ１１０は、気道チューブ１０４内の空気流通チューブ１０３と通じている。これは、図６に明瞭に示されている。
【００７９】
気道チューブ１０４は、気道チューブに対して結びつけるか又は止めるようにされたブラケットまたはタグ１１２を有している。喉頭マスクには容易に使用できるように指グリップ１１４が設けられている。
【００８０】
喉頭マスク１００は、マスクの末端部から基端部に向かって伸びる通路１１６と１１８を有している。これらの通路があることによって、胃から吐きもどされた物質がマスク内を移動し、適切な吸引チューブを使用することによって患者の体内から除去することができる。ある形態において、通路１１６と１１８のいずれか一方の通路を吸引することによって吐きもどされた物質を除去し、他方の通路から排気することができる。これらの通路は、部分的にマスク部分１０２の周縁部１０５とマスク部分１０２の屋根部分によって形成されている。通路１１６と１１８は、使用時に、食道から吐きもどされた流体の流路となることが分かる。これらの通路は、マスク部分１０２の末端または末端近傍において貯留部を形成し、血液または流体のような物質を貯留部から除去することができる。横切るように伸びる開口部１０９が通路１１６と１１８の間を伸びて、通路間の流体の流通を可能にする。
【００８１】
マスク部分１２０は、軟質で可撓性の膜１０６を有している。軟質で可撓性の膜１０６はマスク部分１２０の前面側に位置している。軟質で可撓性の膜１０６は開口部１０９を有している。開口部１０９は、気道チューブとの間で流体が流通するマスク部分１０２の内側のチャンバと通じている。それゆえ、患者に供給される気体は気道チューブを経てマスク部分１０２の内側のチャンバへ入り、それから、開口部１０９を経て患者の気管に流入する。
【００８２】
軟質で可撓性の膜１０６は、開口部１０９の周りに伸びている壁部分１１１を有している。マスクが患者の体内に挿入されるとき、壁部分１１１は喉頭の入口を囲む組織と平行であるような形状である。さらに、図７および８に示すように、軟質で可撓性の膜１０６は、患者によって吐きもどされる胃内の食物の除去を可能にする通路１１６と１１８を部分的に定める領域１１２と１１４の前面に伸びている。特に、壁部分１１２と１１４は、外側に向かって伸び、それから、壁部分１１２と１１４の前面に位置する軟質で可撓性の膜１０６の内側に向かって伸びている。図６、図７、図８から分かるように、軟質で可撓性の膜１０６の壁部分１１１は、壁部分１１２、１１４より薄い箇所を有している。
【００８３】
図７および図８は、患者に気体を供給する空気流路１０３を示している。
【００８４】
マスクの前部分の形状によって、加圧気体が患者に供給されるとき（例えば、正圧通気中に間欠的に）、図７において矢示するように、加圧気体はマスクの壁に力を及ぼす。流通気体は開口部１０９を通過する。流通気体によって付加される力によって、軟質で可撓性の膜１０６は外側に押される。そこで、軟質で可撓性の膜１０６は皮下組織と良好に接触し、軟質で可撓性の膜１０６と皮下組織との間で良好なシールが確保される。その結果、流通気体の圧力を増加すると、軟質で可撓性の膜１０６と皮下組織の間のシール性を向上し、漏れの可能性が最小限にされる。確かに、本発明者は、図１から図８に示す器具を使用することによって、マスクのチャンバ内で６０cmＨ2Ｏを超える内圧に耐えることができるシール効果を確保することができると信じる。対照的に、市販されている喉頭マスクは２０cmＨ2Ｏから４５cmＨ2Ｏの内圧に耐えることができるだけである。
【００８５】
図６および図７に示すように、軟質で可撓性の膜１０６は開口部１０９から外側に向かって伸び、さらに、マスクの背面側に向かって上方に伸びていることが分かる。図７および図８に示すマスクが患者の体内の挿入されるとき、喉頭の組織は、開口部１０９から外側に向かって伸びている軟質で可撓性の膜１０６の外側伸張部分と接する（図７に矢示するように）。このように、軟質で可撓性の膜の形状は気道チューブを経て供給された空気を巧みに利用してシール性を高めることができる。さらに、供給された加圧空気が軟質で可撓性の膜から噴出される危険性が最小限にされる。
【００８６】
喉頭マスク１００は、マスクの挿入を容易にするために、その周りでの曲げを可能とするノッチまたは凹部１２０を有している。ある形態において、ノッチまたは凹部１２０は省略することができる。マスクには、その先端に角度または傾斜を設け、先端が気道の下方を向くようにし、マスクを挿入中において喉頭に向けて曲げることができる。
【００８７】
マスク部分１０２の末端１３０は、上方に伸びる端部を有している。このことは図４に明瞭に示されている。マスク部分１０２の前方の末端１３０の上方伸張部は、マスクの挿入中においてマスクが喉頭にひっかかったり、喉頭に突き進む可能性を最小限にし、マスクの末端が喉頭の背面を容易にスライドできるようにする。このマスクの部分は斜面として作用する。
【００８８】
図９ないし図１４は、本発明の別の実施形態の各種図面である。図９ないし図１４に示す器具２００は、マスク部分２０２と気道チューブ２０４を有している。まさに、図９ないし図１４に示す器具は、図１ないし図８に示す器具と共通する多くの特徴を有している。便宜と記載の簡略化のために、図１ないし図８に示す器具の特徴と共通する図９ないし図１４に示す器具の特徴には、図１ないし図８において使用された参照番号の最初の数字である“１”が、図９ないし図１４では“２”に置き換えられたということを除いて、同じ参照番号を付す。これらの特徴はさらに記載されない。
【００８９】
マスク部分２０２は軟質で可撓性の膜２０６を有している。さらに、マスク部分２０２には、通路２１６、２１８との間で流体が流通する開口部２４０が設けられている。開口部２４０を囲むマスクの端部２４１は可撓性であり、マスクが挿入されるとき曲がるように設計されており、咽頭の後部壁と接触する。さらにマスクを挿入すると、マスクの端部２４１の弾性によって、マスクの端部２４１は正確な方向を示すように折り重ねられる。これによって、患者の体内にマスクを挿入することが容易になる。さらに、図９に示すマスクは、開口部２４０の近傍に閉じた壁２４３を有している。図９には示されていないけれども、同じような閉じた壁が開口部２４の他方の側に設けられている。閉じた壁２４３は、マスクの末端における強化部または補強部として作用する。本発明者は、強化部または補強部２４３は、マスクを患者の体内に挿入中において、マスクの末端が折り重ねられるのを防止するのに役立つことを発見した。あるマスクに関しては挿入中に、マスクの先端は喉頭の下を真っ直ぐに進むのではなく、しばしば梨状陥凹に進入する傾向がある。これによって、マスクが喉頭側面の梨状陥凹で捕捉されて折り重ねられ、障害物となる。しかし、強化部または補強部２４３は、マスクの先端が折り重ねられるのを防ぐ。マスクが強化部または補強部２４３を有することによって、挿入中にマスクが梨状陥凹を通過するときに折り重ねられるのを防ぐ。さらに、マスクを押すと、マスクは適切に挿入される。図９に示されているように、周縁部２０６の側壁２４５は、図１に示すマスクよりも大きな範囲まで背部領域に向かって上方に伸びる。これによって、マスクが挿入中に折り重ねられるのを防ぐ。
【００９０】
図１１において、喉頭マスク２００には、特に注目すべき輪状軟骨接触部分２５０がある。輪状軟骨接触部分２５０は、空気チャンバー２５４の背面壁２５２から伸びる突出部または凸状領域として形成される。特に、空気チャンバ２５４の背面壁２５２は輪状軟骨接触部分２５０内に至る伸張部２５６を有している。
【００９１】
輪状軟骨接触部分２５０は、横方向に伸びる開口部２５３と２５５を有している。図９によく示されているように、これらの開口部２５３と２５５は空気チャンバ２５４の外側に位置している（図９は開口部２５３のみを示す）。このように、開口部２５３と２５５は、マスクのいずれか一方の側に位置する通路２１６と２１８との間の流体の流通を可能とする。支持支柱２５７が開口部２５３と２５５の間を伸び（図１１参照）、これによって、使用中の輪状軟骨接触部分２５０の形状を維持するのに役立つ。開口部２５３と２５５は、空気がマスクを横切る方向に流れるのを可能とし、通路２１６と２１８のいずれか一方を吸引したときに負圧が発生するのを避けるか又は最小限にする。
【００９２】
輪状軟骨接触部分２５０は、マスクを患者の体内に挿入するとき、輪状軟骨組織の形状にぴったりと合致するように、弾性で可撓性の材料から製造されるのが好都合である。これに関して、輪状軟骨接触部分２５０は、軟質で可撓性のある外科等級のポリマーまたは弾性体または外科等級のシリコーンゴムから製造できる。輪状軟骨接触部分２５０は、輪状軟骨組織の近傍に良好なシールを形成し、輪状軟骨組織に圧力を付加するように配置される（また、シールを維持するのに役立つ）。輪状軟骨組織に圧力を付加することによって、輪状軟骨接触部分２５０は、食道の上部を開放状態に維持し、吐きもどされた物質が除去されるのを促進する。
【００９３】
図１２において、マスク部分２０２の末端はスリング形状領域２６０を含むことが分かる。このスリング形状領域２６０は輪状軟骨接触部分２５０の一部を形成する。スリング形状領域２６０の形状は輪状軟骨の内面または背面に圧力を生成するのに役立ち、輪状軟骨組織の近傍のマスクと患者の組織との間のシールを維持する。
【００９４】
喉頭マスク２００は、マスク部分２０２の基端部近傍に位置する曲面部２７０を有する。
【００９５】
図９ないし図１４に示す喉頭マスク２００のマスク部分２０２は、既存の喉頭マスクに比べて多少長さが短い。例えば、マスク部分２０２は、市販されている喉頭マスクの長さの約２／３の長さを有する。これは、マスクを患者の体内に挿入するのに役立つ。
【００９６】
図９Ａは、図９に示すものと類似するマスクの斜視図を示し、便宜のために、同じ特徴のものには図９と同じ参照番号を使用するが、“ａ”を付加する。図９Ａのマスクが図９に示すマスクと異なる点は、図９のマスクの開放通路２１６が閉じた壁２１６Ａに置き換えられている点である。それゆえ、閉じた壁はマスクと気道チューブの横の端面に沿ってチューブをうまく伸びるようにする。
【００９７】
図１５ないし図２０は、図９ないし図１４に示すマスク２００と共通する多くの特徴を有する喉頭マスク３００を示している。まさに、図１５ないし図２０に示す器具は、図９ないし図１４に示す器具と共通する多くの特徴を有する。便宜および記載の簡略化のために、図９ないし図１４に示す器具の特徴と共通する図１５ないし図２０に示す器具の特徴には、図９ないし図１４において使用された参照番号の最初の数字である“２”が、図１５ないし図２０では“３”に置き換えられたということを除いて、同じ参照番号を付す。これらの特徴はさらに記載されない。
【００９８】
図９ないし図１４に示すマスクと図１５ないし図２０に示すマスクの間の大きな差違は、図１５ないし図２０に示すマスク３００は開口部３４０から前方に伸びる伸張部３６５を有しており、通路３１６、３１８との間において流体が流通することにある。伸張部３６５は、患者の体内に正確に挿入されると、食道上部を開放して食道から吐きもどされた流体を捕捉して末端開口部に向けて導く、可撓性で膜状の煙突のように作用する。これは吐きもどされた流体が肺に吸入される危険性を最小限にする。ある形態において、伸張部３６５はコンチェルティーナのように振る舞う。本発明者は、吐きもどされた流体によって食道が広がるとき、食道の断面の大きさは人によって異なることを発見した。伸張部３６５のような可撓性の煙突は、膨脹した食道の余分な断面積を補償し、吐きもどされた流体が開口部３４０に向かうように吐きもどされた流体を管腔内に保有するのに役立つ。開口部３４０を囲む伸張部３６５の端部は可撓性であり、マスクが挿入されるとき後方に曲がり、咽頭の背部壁と接触するように設計される。マスクがさらに挿入されると、伸張部３６５の弾性によって、伸張部３６５は正確な方向を示すように折り重ねられる。これによって、マスクの先端が咽頭の壁のリンパ組織をつついたり、損傷したりする危険性を防止するか又は最小限にすることによって、患者の体内にマスクを挿入するのを促進する。
【００９９】
図１５に示すように、凹部３１９はマスクの基端部に形成される。凹部は一連のマスクを凹部に挿入できるように設けられる。粘着性材料またはプラスチック材料が一連のマスクの上に注がれ、マスクをシールする。これによって、多くの用途に使用されるマスクを繰り返し殺菌する時にマスクを保護するのに役立つ。この凹部は、必要ならば、本発明のすべての実施形態に設けることができる。
【０１００】
図２１ないし図２４は、本発明の別の実施形態の各種図面である。図２１ないし図２４に示す実施形態は図９ないし図１４に示す実施形態と類似しており、便宜および記載の簡略化のために、図２１ないし図２４において類似する特徴は記載しない。図２１ないし図２４に示す実施形態が図９ないし図１４に示す実施形態と異なる点は、軟質で可撓性の膜に複数の補強リブまたは脚３８０が設けられている（図２１、２３および２４において仮想線で示す）。この実施形態において、軟質で可撓性の膜３８２は補強リブまたは脚３８の間を伸びている。流通気体が気道チューブ３０３′を経てマスクに供給されるとき、軟質で可撓性の膜３８２は喉頭を囲む組織と良好に接触するように伸び、喉頭の周りのシール性を改良する。補強リブまたは脚３８０はマスク部分３０２′の周縁領域の形状を維持し、マスクを挿入されやすくする。
【０１０１】
図２５ないし図２８は、本発明のさらに別の実施形態の各種図面である。図２５ないし図２８に示す実施形態は図２１ないし図２４に示す実施形態と類似している。大きな差違は、図２１に示す開口部３０４′が図２５ないし図２８に示す実施形態では２つの開口部３４１、３４２に置き換えられていることである。
【０１０２】
図２９ないし図３４は、本発明のさらに別の実施形態の各種図面である。図２９ないし図３４に示す器具は、マスク部分７０２と気道チューブ７０４を有している。図３０および図３１によく示すように、気道チューブ７０４はマスク部分７０２の基端部に位置する曲面部７０５を有している。曲面部７０５は患者の体内にマスクを挿入するのに役立つ。
【０１０３】
マスク部分７０２は、使用時に患者の喉頭を囲む組織の周りに伸び、その組織とシールを形成するマスク部分７０２の上部または背面部を定める周縁部７０６を有する。マスク部分７０２は、またマスク部分７０２の上部または背面部を定める屋根７０８を有する。図３４に示すように、チャンバ７１０がマスク部分７０２の中に定められる。チャンバ７１０は気道チューブ７０４内の気道チューブ７０３と通じている。これは図３４に明瞭に示されている。
【０１０４】
喉頭マスク７００は、マスクの末端部から基端部に向かって伸びる通路７１６、７１８を有している。これらの通路は、図１に示す通路１１６、１１８に類似している。通路７１６、７１８は、図３０および図３２によく示されているように、マスク部分７０２の側面において開放されている。これに関して、マスク部分７０２の上部７０８はマスク部分７０２の末端の近傍において比較的薄くされる。
【０１０５】
マスク部分７０２は軟質で可撓性の膜７０７を有する。この軟質で可撓性の膜７０７は、開口部７０９を定める。開口部７０９は、気道チューブ７０３と通じているチャンバー７１０と通じている。これによって、気道チューブ７０４を経て供給された流通気体または他の気体は患者の喉頭を経て気管に流入する。
【０１０６】
図３４に示すように、厚い材料のリング７１１は開口部７０９の周縁部の周りを伸びている。これによって開口部７０９を強化し、マスクの開口部の形状を維持するのに役立つ。図３４は、周縁部７０６が、周縁部を強化して周縁部の形状を維持するのに役立つ補強リブ７１３を有することを示す。補強リブ７１３は、マスクの周縁部７０６において好ましい形状の厚い領域を形成することによって簡単に設けることができる。
【０１０７】
マスク部分７０２の末端は、患者の体内への挿入を容易にする上方に曲がったリップ７２０を有する。ノッチまたは溝７２２はマスク部分７０２のすべての背面の上面に形成される。末端は、通路７１６、７１８と通じている開口部７２４を有する。開口部７２４は図１５に示す開口部３４０と類似している。
【０１０８】
マスク部分７０２の通路７１６と７１８との間に壁７２１が位置している。これによってマスクを強化し、マスクの上面または背面部分が比較的硬くなる。これによって、マスクの形状を維持するのに役立つ。マスクの末端に向かって壁７２１に開口部７２３が形成される。この開口部は通路７１６と７１８との間の流体の流通を可能にする。
【０１０９】
図２９ないし図３４に示す実施形態の他の特徴は、図１５ないし図２８に示すマスクの特徴と類似しているので、さらに記載する必要はない。
【０１１０】
図３５ないし図３９は、本発明のさらに別の実施形態の喉頭マスクの各種使用例を示す。図３５ないし図３９に示すマスクは図２９ないし図３４に示すマスクと共通する多くの特徴を有している。便宜のために、参照番号の最初の数字“７”を“８”に換えたが、類似する特徴には類似する参照番号を使用する。これらの特徴は、さらに記載しない。
【０１１１】
マスク８００がマスク７００と異なる点は気道チューブ８０３内の曲面部８０５がマスク７００の気道チューブ７０３の曲率より相当小さい点である。
【０１１２】
図３８Ａないし図３８Ｄは、喉頭マスク８００のマスク部分８０２各種端部断面を示す。これらは、薄い膜８０７、開口部８０９を囲む厚いリング８１３および患者に供給される流通気体を捕捉するように作用する膜８０７の特別の形状を示す。そこで、膜は喉頭を囲む組織に向かって押し当てられ、それによって喉頭の周りのシール性を改良する。図３８Ａないし図３８Ｄは、マスクの比較的強いか又は比較的硬い中央脊柱８５０およびマスクの周縁部の厚い周辺領域８５２を示す。これらはマスクをより硬くし、厚い周辺領域は周縁部をより強固にし、気道空洞を開放させ、リブ８１３に付加的なサポートを提供する。
【０１１３】
図３９Ｂは、図３９のＦ−Ｆ線に沿って切断した断面図である。これはチャンバー８１０を明瞭に示している。
【０１１４】
図２９ないし図３９に示す器具のマスク部分は図１ないし図２８に示す器具より狭い末端部分を有することが分かる（上方から見て）。これによって、食道から通路８１６、８１８への空洞部および流体の効果的な流れを損なうことなく、末端が上部食道（すなわちち、食道括約筋）に進入することを確実にするのに役立つ。
【０１１５】
図１から図３９に示す本発明の実施形態の気道チューブの使用についての記載が適用される。
【０１１６】
たいてい麻酔中や蘇生時にはいつも患者は仰向けになっている。咽頭に存在する水または血液のような嘔吐物、分泌液または他の物質がある。これらの物質は咽頭の壁に重力を及ぼし、最も低い領域に存在する。
【０１１７】
本発明の最も好ましい気道器具（図９−３９に示すようなもの）が患者の体内に挿入されると、長手方向の楕円形の開口部（例えば、開口部２０８）が患者の舌をスライドし、舌によってシールされる。マスクの末端が背部の喉頭壁に当たると、マスクの端部は、ノッチまたは溝によって容易に前方に曲がる。これによってマスクが喉頭を下降することができる。さらに押されると、マスクの末端は喉頭をスライドし、斜面をスライドし、輪状軟骨のクッションの頂部に達する。輪状軟骨組織によって後方に押されて、マスクの膜部分は輪状軟骨のクッションとともにマスクの末端部に心地よいシールを形成する。これは、輪状軟骨クッションのスプリング作用および膜部分の末端のスリング作用がシールを形成するために役立つことによる。さらに押されると、喉頭は、喉頭の側面とともに気道空洞にぴったりと収まり、マスクの表面（前方部分）の軟質の膜部分の側面によってシールされる。喉頭はマスクの気道空洞（またはチャンバ）の内側にもたれる。マスクの基端部は舌の後部と心地よいシールを形成し、喉頭の周りとマスクの膜部分の間でのシールを完成する。
【０１１８】
マスクを降下させるとき、マスクの開口部は舌と接触し、マスクの前面部は上方に面し（男性または女性の患者が仰向けになっているとき）、気道空洞に物質が侵入するのが避けられる。それから、マスクの端部は喉頭が斜面をスライドするようにし、喉頭が気道空洞（マスクの内側チャンバ）に入ることが可能になる。いまやマスクは静止し、マスクの基端部および前方部は舌および気道チューブに面する気道空洞内の壁の他方の側の喉頭の後ろに収まる。
【０１１９】
膜部分を含むマスクの壁は、その構造および形状によって喉頭の周縁部に対する周辺シールとして作用する。
【０１２０】
マスクが適切に配置される一方、内部の輪状軟骨の圧力クッションはその構造によって空洞を保持し、食道およびマスクの貯留部または通路の端部との間で流体が通じるようにするのに役立ち、吐きもどされた物質が吸い出されることが可能になる。
【０１２１】
間欠的な正圧通気が供給されると、気道空洞内で増加する圧力がマスクの弾性特性に作用して、マスクを膨脹させる。しかし、マスクの厚さを変えることができるという事実によって、マスクの異なる部位におけるマスクの膨脹程度はかなり異なる。このマスクの膨脹によって咽頭壁に対する全方向におけるマスクの周りのシール性を向上する。
【０１２２】
喉頭の開口部の周りの咽頭壁に面するマスクの各部の厚さは異なるので、薄い部分は最もよく伸び、それらが接触している組織に対する圧力を及ぼす。
【０１２３】
IPPV中の圧力の増加は喉頭の周りのシール性を比例的に増加し、IPPV中の漏れを防止する。さらに、増加した圧力がIPPVサイクルの高圧中にのみ付加されるので、組織に対する圧力増加は間欠的になり、圧力増加によって起こされる組織に対する血管の破裂を最小限にし、それらの組織に対する外傷および患者への不快感を最小限にする。
【０１２４】
図１から図３９に示す１つ以上の実施形態の喉頭マスクは、特に注目すべき以下の特徴を有する。
【０１２５】
マスクは、丸い／広い末端を有する；
マスクは、上を向くか又は背部を向いた先端を有する；
マスクは、挿入時にスライドするように、喉頭のための斜面を有する；
マスクは、上部食道に通じる末端開口部に１つ又は２つの大きな開口部を有する；      開口部は、貯留空洞または流体排出通路に通じている；
空洞から貯留領域へ排出するための設備がある；
舌の後部に吸引チューブへ直接通じる排出路がある；
貯留空洞は、溝またはチューブによって口に接続される；
マスクの背部表面は、真っ直ぐか又は長手方向に曲がっている。マスクの背部表面は、左右に真っ直ぐか又は曲がっている。マスクの背部表面の中間部または末端には溝が設けられる；
貯留空洞は輪状軟骨組織と接触する盛り上がり部または突出部を形成する。それゆえ、輪状軟骨および喉頭は食道の上端を開放状態に維持し、食道にある流体の外部への排出を容易にする（輪状軟骨の圧力）；
マスクは、うまく呼吸することができるように大きな気道空洞を有する；
壁のスプリング作用によって、呼吸空洞を開放状態に維持し、排出領域から引き離す；  気道空洞の壁の膜は、間欠的な正圧の通気中(IPPV)における漏れやあふれを停止するか又は制御する；
補強リブまたは補強脚は空洞の形状を維持し、壁とともに、前方にある咽頭の壁を後方にある喉頭の壁に近づけないようにし、それによって軌道空洞を形成する；
補強リブまたは補強脚の間にある膜部分は、IPPVの間、ふくれて壁を押し続け、IPPV圧力の漏れを停止するか又は制御する；
膜は梨状陥凹と適切に接触し、それによって梨状陥凹から漏れるような可能性を最小限にする；
マスクが挿入されるとき、喉頭は斜面をすべり、マスクの喉頭開口部に入り込み、気道空洞のチャンバの内側に位置する；
マスクに排出通路が設けられることで、気道空洞の後部表面に２つの長手方向の盛り上がり部を形成し、患者の軌道チューブの開口に通じる中間に長手方向の溝を形成する。これらの２つの盛り上がり部は、喉頭の開口部が対向する平らな表面によって塞がれないようにする。それゆえ、中間の溝を備えた２つの盛り上がり部は、呼吸を容易にする。；
以前の喉頭マスクは膨脹性のカフスを有している。ある場合には、そのカフスが神経、特に、回帰性喉頭神経、舌下神経および舌神経に定常的に圧力を及ぼすことによって、それらの神経を損傷する。図１から図３９に示す実施形態のマスクは、非常に軟らかく、連続的な正圧を及ぼさず、IPPVの間に生成する最大圧の間だけ高圧を及ぼす。この最大圧は短い時間の間だけ生成される。本発明のマスクは、短くて軟らかく、IPPVを最大にする。マスクによって生成される最大圧は呼吸サイクルの吸気工程のみに付加される。さらに、マスクによって付加される最大圧は肺による通気の最大吸入圧である。それゆえ、これは、膨脹性のカフスに圧力が付加されるのではなく、マスクによって通気圧に関連するように患者の組織に圧力が付加される結果として、神経が損傷される可能性を低減する。
【０１２６】
好ましい実施形態において、膜部分は気道チャンバの開口部の回りから伸びている部分を有している。使用時に、その部分は喉頭組織に平行である。この膜部分は気道チャンバの開口部から外方に伸び、それから、マスクの背面側に向かって上方に伸びる。この形状によって、気道チューブを介して供給される通気圧によってマスクが膨脹する機能が向上し、それゆえ、マスクによるシール性を高める。
【０１２７】
本発明の好ましい実施形態のマスクは、使用者にやさしく、他の市販されている声門上の気道器具に伴われる困難を最大限に解消するように設計された新規の声門上の気道器具である。この器具は単一の射出成形によって製造することができる。
【０１２８】
良好なシール性を確保するためには大きくすることが必要である他の声門上の気道器具とは異なり、本発明の器具によれば、比較的小さい大きさで済む。小さいということは、その設計を容易にするとともに、挿入を容易にする。また、その器具は導入するときの位置に容易に配置することができる。カフスを膨脹させる必要がなく（好ましい実施形態において）、マスクの位置を再調整する必要もないので、挿入が速くて簡単である。
【０１２９】
本発明の器具には、器具に組み込まれた吸入チューブに連続的に大容量で高い吸入圧力を導入することができる。マスクの長手方向の気道の開口部は患者の舌をすべり、喉頭に達するまで舌によってシールされる。マスクの末端が喉頭壁の後部に突き当たると、マスクの端部はノッチまたは溝によって容易に前方に曲がる。これによって、マスクは喉頭を下降することができる。さらに押されると、マスクの末端は喉頭から下方にすべり、やがて、マスクの斜面が輪状軟骨クッションの頂部に達する。輪状軟骨クッションによって、マスクの膜部はマスクの前方端部に心地よいシールを形成する。これは、輪状軟骨クッションのスプリング作用と膜部分の末端のスリング作用がシールの形成を容易にするからである。マスクがさらに押されると、喉頭の入口が気道空洞に入り込み、膜部分が喉頭の周りにシールを形成する。喉頭の入口は気道空洞の内側にあり、明確な気道を形成する。マスクの硬い基端部は舌の基部を持ち上げ、気道の開音性を高め、膜部分によって形成されるシールを補足する。
【０１３０】
マスクが最初に挿入されるとき（患者は仰向けである）、マスクは舌の後部を通過し、マスクの気道開口部は舌の背部表面と接触するので、咽頭の後部に圧力を及ぼすような異物（流体および血液など）が気道空洞に進入しないように、マスクは舌によって保護される。
【０１３１】
本発明の器具が挿入されている間、貯留空洞とともにマスクの末端開口部はいつも先頭におり、気道を経て好ましくない物質を吸引して取り除く。このことは、マスクが除かれるまで、マスクの使用中に連続して起こる。このように、マスクの周りの領域には好ましくない物質がないので、吸引する可能性はほとんどない。この掃除作用は、貯留部に通じているマスクのいずれか一方の側の２つの長手方向の開口部によって高められる。
【０１３２】
マスクが適切な位置にあるとき、輪状軟骨圧力のクッションは、その構造によって貯留空洞の一部である空洞の開音性を維持し、食道の上端が流体と通じるようにすることができる。
【０１３３】
２つのチューブを気道チューブ（いずれか一方の側の）に沿って器具の軸部に組み込むことができる。それらのチューブは末端において貯留空洞と通じている。一方のチューブは貯留空洞から物質を吸い出す。貯留空洞に負圧が発生するのを防止し、貯留部としての機能を維持しうるように、吸入操作中は他方のチューブが貯留空洞に空気を送る。
【０１３４】
器具の気道チューブは、その全長にわたって伸びている、組み込まれたバイトブロックを有している。このバイトブロックは患者がチューブを噛む場合には気道の開音性を確保するほど充分に硬いけれども、患者の歯を損傷しない程度に充分に軟らかい。
【０１３５】
患者は、口の内側のマスクを除去する間、気道を噛み、気道の開口部が舌の表面に面することは可能である。その場合、気道閉塞が起こる。しかし、気道チューブの横側の軸部の２つのチューブが付加的な気道として機能し、空気の流入と酸素吸入を維持することができる。移送、搬送中に患者の体内に器具を保持することができ、通気は気道チューブの基端部に一連の凹部およびループを組み込むことによってされる。
【０１３６】
さらに本発明の好ましい実施形態において、類似する形状の隔膜または膜部分をマスク部分の中央領域の伸張部として設けることができる。この隔膜または膜部分があることによって、喉頭マスクに第二の隔膜または膜部分が設けられるならば、喉頭マスクは二重の膜構造を有することになる。また、隔膜または膜部分を膨脹性のカフスマスクの前方に設けることができる。
【０１３７】
図４０は、本発明のさらに別の実施形態を示す。図４０は、マスク部分６７１に形成された膨脹性のカフス６７２を有する喉頭マスク６７０を示す。気道チューブ６７３がマスク部分６７１とともに形成されるか又はマスク部分６７１に接合される。膨脹チューブ６７４は膨脹性のカフス６７２を膨脹させるために使用される。
【０１３８】
マスク部分６７１がチャンバ６７５を定める。周縁部に伸びる領域６７６がチャンバ６７５に形成される。領域６７６は輪状軟骨接触部分として作用する。
【０１３９】
図４１は、膨脹性のカフス６８２を有するマスク部分６８１を備えた喉頭マスク６８０を示す。膨脹性のカフスは膨脹チューブ６８３によって膨脹される。喉頭マスク６８０は気道チューブ６８４を有する。チャンバ６８５がマスク部分６８１の中に定められる。チャンバ６８５は気道チューブ６８４と通じている。輪状軟骨接触部分６８６がマスク部分６８１の末端に形成される。
【０１４０】
図４２は、本発明のマスクのさらに別の実施形態を示す。図４２に示すマスク６９０は、図４０に示すマスク６７０と類似しており、共通の特徴は記載しない。図４２に示すマスク６９０はチャンバー６９２を横切って伸びる盛り上がり部６９１を有している。盛り上がり部６９１はマスクの輪状軟骨接触部分を形成する。
【０１４１】
図４３から図４７に示す喉頭マスクは、挿管治療患者への使用に特に適している。マスク９００は、図１から図３９に示すマスクと共通する多くの特徴を有している。記載の簡略化のために、これらの共通する特徴は以下には大きく記載しない。
【０１４２】
マスク９００は輪状軟骨クッション９０２（いままでの実施形態の輪状軟骨接触部分と同等のもの）を有する。図４３から図４４に示すように、輪状軟骨クッション９０２は前方伸張部分を有している。この前方伸張部分は、マスクの背面壁の一部を形成する。マスクは、膜の中間の開口部の周りに伸びている厚いリング材料９０６を備えた可撓性膜９０４を有する。
【０１４３】
輪状軟骨クッション９０２の基端部には前方伸張部分９０８がある。この前方伸張部分の末端は９１０である。内側の背面壁が９１２においてノッチまたは凹部を形成する。このノッチまたは凹部９１２の最大範囲が輪状軟骨クッション９０２の始まりを示す。
【０１４４】
可撓性膜９０４は、背面に伸びるバリアまたはフラップ９１４を有する。バリアまたはフラップ９１４はそのバリアまたはフラップの開口部から背面に伸びている。バリアまたはフラップ９１４は、その先端よりも広いベースを有している。換言すれば、バリアまたはフラップ９１４は背面方向に伸びるので、その幅が減少する。
【０１４５】
図４５および図４６は、輪状軟骨クッション９０２に隣接するように位置するバリアまたはフラップ９１４を示す（すなわち、バリアまたはフラップ９１４は内側の背面壁に隣接している）。バリアまたはフラップ９１４は、マスク９００が患者の体内に適切に挿入されるとき、その位置を移動する。マスクを挿入すると、可撓性膜９０４は変形し、図４５および図４６に示すように、バリアまたはフラップ９１４をその位置に移す。バリアまたはフラップ９１４の開放端は前方伸張部分９０８の末端の背面上方に位置している。それゆえ、前方伸張部９１０は、バリアまたはフラップ９１４の端部が、気管内チューブ、光ファイバガイド、またはマスクを通過する同様の器具の端部と接触しないように保護する。
【０１４６】
気管内チューブ９２０がマスクに挿入されるとき、気管内チューブの端部は前方伸張部９１０に接触して下方にガイドされる。気管内チューブを連続して挿入すると、その端部がバリアまたはフラップ９１４をスライドしながら通過して、マスクの開口部から出る。マスクが適切に喉頭に配置されるとき、気管内チューブがマスクの開口部を経て伸びるとき、気管内チューブは患者の気管に進入する。これは、気管内チューブ９２０がマスクの開口部を経て伸びている図４７に示されている。
【０１４７】
図４３から図４７に示す喉頭マスクは、患者の体内に適切に配置することができ、速やかに患者と一体化できる。バリアまたはフラップ９１４の幅を先細にすることによって、気道チューブによって供給される移送ガスは可撓性膜９０４に接触して、マスクと喉頭の周りの組織との間に良好なシールを達成することができる。この実施形態はいままでの実施形態について記載したのと同様の方法で使用することができる。しかし、図４３から図４７に示す実施形態は、患者に挿管治療をすることが必要な緊急の場合または喉頭マスクを変えることなく手術中に麻酔専門医が気管内チューブを挿入するという選択を採用したい場合に使用することができる。
【０１４８】
当業者であれば、いままでに記載した本発明の実施形態に様々な変形や修正を加えることは明らかである。本発明はその技術的範囲に入る様々な変形や修正を含むことは明らかである。
【符号の説明】
【０１４９】
１００  喉頭マスク
１０２  マスク部分
１０３  空気流通チューブ
１０４  気道チューブ
１０５  周縁部
１０６  軟質で可撓性の膜
１０８  屋根
１０９  開口部
１１０  チャンバ
１１１  壁部分
１１２  ブラケット（タグ）
１１４  指グリップ
１１６  通路
１１８  通路
１２０  ノッチ（凹部）
１３０  末端
２００  器具
２０２  マスク部分
２０４  気道チューブ
２０６  軟質で可撓性の膜
２１６  通路
２１８  通路
２４０  開口部
２４１  マスクの末端
２４３  壁
２４５  側壁
２５０  輪状軟骨接触部分
２５２  背面壁
２５３  開口部
２５４  空気チャンバ
２５５  開口部
２５６  伸張部
２５７  支柱
２６０  スプリング形状領域
２７０  曲面部
３００  喉頭マスク
３０２′マスク部分
３０３′気道チューブ
３１６  通路
３１８  通路
３１９  凹部
３４０  開口部
３４０′開口部
３４１  開口部
３４２  開口部
３６５  伸張部
３８０  リブ（脚）
３８２  軟質で可撓性の膜
６７０  喉頭マスク
６７１  マスク部分
６７２  カフス
６７３  気道チューブ
６７４  膨脹チューブ
６７５  チャンバ
６７６  周縁部に伸びる領域
６８０  喉頭マスク
６８１  マスク部分
６８２  カフス
６８３  膨脹チューブ
６８４  気道チューブ
６８５  チャンバ
６８６  輪状軟骨接触部分
６９０  マスク
６９１  盛り上がり部
６９２  チャンバ
７００  器具
７０２  マスク部分
７０３  気道チューブ
７０４  気道チューブ
７０５  曲面部
７０６  周縁部
７０７  軟質で可撓性の
７０８  屋根
７０９  開口部
７１０  チャンバ
７１１  リング
７１３  補強リブ
７１６  通路
７１８  通路
７２０  リップ
７２１  壁
７２２  ノッチ（溝）
７２３  開口部
７２４  開口部
８００  マスク
８０２  マスク部分
８０３  気道チューブ
８０５  曲面部
８０７  膜
８０９  開口部
８１０  チャンバ
８１３  リング
８１６  通路
８１８  通路
８５０  中央脊柱
８５２  周辺領域
９００  マスク
９０２  輪状軟骨クッション
９０４  可撓性膜
９０６  リング状材料
９０８  前方伸張部分
９１０  前方伸張部
９１２  ノッチ（凹部）
９１４  バリア（フラップ）
９２０  気管内チューブ
【図１】
0005568474.tif 000002
【図２】
0005568474.tif 000003
【図３】
0005568474.tif 000004
【図４】
0005568474.tif 000005
【図５】
0005568474.tif 000006
【図６】
0005568474.tif 000007
【図７】
0005568474.tif 000008
【図８】
0005568474.tif 000009
【図９】
0005568474.tif 000010
【図９Ａ】
0005568474.tif 000011
【図１０】
0005568474.tif 000012
【図１１】
0005568474.tif 000013
【図１２】
0005568474.tif 000014
【図１３】
0005568474.tif 000015
【図１４】
0005568474.tif 000016
【図１５】
0005568474.tif 000017
【図１６】
0005568474.tif 000018
【図１７】
0005568474.tif 000019
【図１８】
0005568474.tif 000020
【図１９】
0005568474.tif 000021
【図２０】
0005568474.tif 000022
【図２１】
0005568474.tif 000023
【図２２】
0005568474.tif 000024
【図２３】
0005568474.tif 000025
【図２４】
0005568474.tif 000026
【図２５】
0005568474.tif 000027
【図２６】
0005568474.tif 000028
【図２７】
0005568474.tif 000029
【図２８】
0005568474.tif 000030
【図２９】
0005568474.tif 000031
【図３０】
0005568474.tif 000032
【図３１】
0005568474.tif 000033
【図３２】
0005568474.tif 000034
【図３３】
0005568474.tif 000035
【図３４】
0005568474.tif 000036
【図３５】
0005568474.tif 000037
【図３６】
0005568474.tif 000038
【図３７】
0005568474.tif 000039
【図３８】
0005568474.tif 000040
【図３８Ａ】
0005568474.tif 000041
【図３８Ｂ】
0005568474.tif 000042
【図３８Ｃ】
0005568474.tif 000043
【図３８Ｄ】
0005568474.tif 000044
【図３９】
0005568474.tif 000045
【図３９Ｂ】
0005568474.tif 000046
【図４０】
0005568474.tif 000047
【図４１】
0005568474.tif 000048
【図４２】
0005568474.tif 000049
【図４３】
0005568474.tif 000050
【図４４】
0005568474.tif 000051
【図４５】
0005568474.tif 000052
【図４６】
0005568474.tif 000053
【図４７】
0005568474.tif 000054